(57)【要約】【課題】新たなボックス／かばん用ロックを提供する。【解決手段】本発明には、ボックス/かばんの主体に突き出して設置するボックス／かばん用ロックを公開する。本発明のロックは一つのかんぬきと一つのロックボディとを含み、かんぬきはボックス又はかばんの片側に固定され、ロックボディは、固定パートと回転パートを含み、固定パートはボックス又はかばんの反対側に固定され、回転パートは固定パートに枢動可能に連結されている。回転パートに開口部を設け、開口部に沿って中に伸びて、かんぬきがその中で滑ることで施錠又は解錠を行うスライド溝を設ける。本発明のボックス／かばん用ロックは回転で施錠と解錠を行い、従来の箱に常に使用される係合ロックと違う新たなボックス／かばん用ロックであって、かつロックシリンダを設けることを通して、鍵を用いてこそロックを開けられる目的を達成し、その安全性を高める。ロックの最適な形は円型で、長所は操作しやすいということである。【選択図】図１
2015535558.tif 000002
【特許請求の範囲】
【請求項１】
ボックス／かばん用ロックであり、
一つのかんぬきと、一つのロックボディとを含み、
前記かんぬきはボックス又はかばんの片側に固定され、
前記ロックボディは、固定パートと回転パートを含み、
前記固定パートはボックス又はかばんの反対側に固定され、
前記回転パートは前記固定パートに枢動可能に連結され、
前記回転パートに開口部が設けられ、
前記回転パートには、前記開口部に沿って中に伸び、前記かんぬきがその中で滑ることで、施錠または解錠を行うスライド溝が設けられる、
ことを特徴とする、
ボックス／かばん用ロック。
【請求項２】
前記ボックス／かばん用ロックはロックシリンダを含み、
前記ロックシリンダは前記回転パートに嵌って設けられ、かつそのロックシリンダ軸を回って前記回転パートに対して回転でき、
前記ロックシリンダの一端にロック部を設け、前記固定パートに前記ロック部とかみ合って使用する施錠機構を設け、
前記ロック部と前記施錠機構のかみ合いを通して施錠又は解錠を行い、
施錠する時、前記回転パートは前記固定パートに相対的に回転できず、
解錠する時、前記回転パートは前記固定パートに相対的に回転できる、
ことを特徴とする請求項１に記載のボックス／かばん用ロック。
【請求項３】
前記回転パートは第一ケースと第二ケースを含み、
前記第一ケースは前記第二ケースと固定的に連結し、
前記第二ケースは前記固定パートに枢動可能に連結し、
前記ロックシリンダは前記第一ケースの内に嵌って設けられ、かつ前記第二ケースを通り抜け、
前記第二ケースに開口部を設け、
前記第二ケースには、前記開口部に沿って中に伸び、前記かんぬきがその中で滑ることで施錠または解錠を行うスライド溝を設け、
前記第一ケースは前記開口部に対応する位置に開け口を設ける、
ことを特徴とする請求項２に記載のボックス／かばん用ロック。
【請求項４】
前記固定パートに設けられる前記施錠機構は一つの収容溝であり、
ロックシリンダに設けられる前記ロック部は前記収容溝と噛み合わせる柱であり、
前記ロックシリンダを順方向に回転し、前記柱を前記収容溝の内部に挿入させることで、前記回転パートの前記固定パートに対する回転を阻止でき、
前記ロックシリンダを逆方向に回転し、前記柱を前記収容溝から離れさせることで、前記回転パートが前記固定パートに相対的に回転できる、
ことを特徴とする請求項２又は請求項３に記載のボックス／かばん用ロック。
【請求項５】
前記ロックシリンダの外側に一つのロックシリンダのカバーを設け、
前記ロックシリンダが回転して前記ロックシリンダのカバーの中に連結し、
前記ロックシリンダのカバーは前記回転パートに嵌って設けられ、
前記ロックシリンダのカバーに少なくとも一つの軌道溝を設け、該軌道溝は一つの長端と一つの短端を含み、幅は長端から短端に徐々に移行し、
前記ロックシリンダの外側には対応的に少なくとも一つのバンプを設け、前記ロックシリンダを回転する時、前記バンプが前記軌道溝に沿って滑動し、前記ロックシリンダが前記ロックシリンダのカバーに対して内に又は外に移動し、前記柱が前記収容溝に対し挿入される又は離される、
ことを特徴とする請求項４に記載のボックス／かばん用ロック。
【請求項６】
固定パートに設ける前記施錠機構は一つの鉤形の突起で、ロックシリンダに設ける前記ロック部は一つの半円柱で、かつ前記鉤形の突起の下に伸びるように設けられ、
前記ロックシリンダを順方向に回転し、前記半円柱を前記鉤形の突起の垂直面に位置させることで、前記回転パートの前記固定パートに対する回転が阻止され；
前記ロックシリンダを逆方向に回転し、前記半円柱を前記鉤形の突起の平行な面に位置させることで、前記回転パートの前記固定パートに対する回転が許容される、
ことを特徴とする請求項２又は請求項３に記載のボックス／かばん用ロック。
【請求項７】
ボックス／かばん用ロックであり、一つのかんぬきと、一つのロックボディと、一つのロックシリンダとを含み、
かんぬきは、ボックス又はかばんの片側に固定され、
ロックボディは、順番に連結される第一ケース、第二ケース、及び第三ケースを含み、前記第一ケースと第二ケースが固定的に連結して回転パートになり、前記第三ケースが固定パートとしてボックス／かばんの反対側に固定され、前記第二ケースが前記第三ケースに枢動可能に連結し、
前記第二ケースに開口部を設け、前記第二ケースには、前記開口部に沿って中に伸びて、前記かんぬきがその中で滑ることで施錠または解錠を行うスライド溝を設け、前記第一ケースは前記開口部に相応する位置に開け口を設け、
ロックシリンダは、前記第一ケースに嵌って設けられ、かつ前記第一ケースに対して回転でき、前記ロックシリンダの一端にロック部を設け、前記第三ケースに前記ロック部とかみ合って使用する施錠機構を設け、前記第二ケースには前記ロックシリンダに通り抜けられる貫通孔を設け、前記ロック部と前記施錠機構のかみ合いを通して施錠または解錠を行い、施錠する時、前記回転パートは前記固定パートに対して回転できず、解錠する時、前記回転パートは前記固定パートに対して回転できることを特徴とする、ボックス／かばん用ロック。
【請求項８】
前記固定パートに設けられる前記施錠機構は一つの収容溝で、ロックシリンダに設けられる前記ロック部は前記収容溝に噛み合わせる柱で、その中で、
前記ロックシリンダを順方向に回転し、前記柱を前記収容溝の内部に挿入させることで、前記回転パートの前記固定パートに対する回転が阻止され、
前記ロックシリンダを逆方向に回転し、前記柱を前記収容溝から離れさせることで、前記回転パートの前記固定パートに対する回転が許容される、
ことを特徴とする請求項７に記載のボックス／かばん用ロック。
【請求項９】
前記ロックシリンダの外側に一つのロックシリンダのカバーを設け、
前記ロックシリンダが回転して前記ロックシリンダのカバーの中に連結し、
前記ロックシリンダのカバーは前記回転パートに嵌って設けられ、
前記ロックシリンダのカバーに少なくとも一つの軌道溝を設け、該軌道溝は一つの長端と一つの短端を含み、幅は長端から短端に徐々に移行し、前記ロックシリンダの外側には対応的に少なくとも一つのバンプを設け、前記ロックシリンダを回転する時、前記バンプが前記軌道溝に沿って滑動し、前記ロックシリンダが前記ロックシリンダのカバーに対して移動する、
ことを特徴とする請求項８に記載のボックス／かばん用ロック。
【請求項１０】
固定パートに設ける前記施錠機構は一つの鉤形の突起で、ロックシリンダに設ける前記ロック部は前記鉤形の突起の下に伸びるように設けられ、
前記ロックシリンダを順方向に回転し、前記ロック部を前記鉤形の突起の垂直面に位置させることで、前記回転パートの前記固定パートに対する回転が阻止され；
前記ロックシリンダを逆方向に回転し、前記ロック部を前記鉤形の突起の平行な面に位置させることで、前記回転パートの前記固定パートに対する回転が許容される、
ことを特徴とする請求項７に記載のボックス／かばん用ロック。
【請求項１１】
前記ロックシリンダの外側に一つのロックシリンダのカバーを設け、前記ロックシリンダが回転して前記ロックシリンダのカバーの中に連結し、前記ロックシリンダのカバーは前記回転パートに嵌って設けられ、前記ロックシリンダと前記ロックシリンダのカバーにロックシリンダの移動制限装置を設け、前記ロックシリンダの移動制限装置は、
前記ロックシリンダの外側に設ける一つまたは二つのバンプと、
前記ロックシリンダのカバーに設け、かつ前記一つまたは二つのバンプとそれぞれに対応する一つまたは二つの制限溝とを含み、前記ロックシリンダは、前記制限溝に制限されるバンプのストロークの中に前記ロックシリンダのカバーに対して回転する、
ことを特徴とする請求項１０に記載のボックス／かばん用ロック。
【請求項１２】
前記回転パートの第一ケースと／又は第二ケースに前記ロックシリンダのカバーと噛み合わせる収容溝を設け、前記ロックシリンダのカバーは前記収容溝の中に設置する、
ことを特徴とする請求項９または請求項１１に記載のボックス／かばん用ロック。
【請求項１３】
前記第二ケースと第三ケースは一つの回転軸より連結し、前記第二ケースの対応する位置に前記回転軸を通り抜けられるスロットを設け、前記回転軸は前記第三ケースに固定的に連結し、かつ前記第二ケースに枢動可能に連結し、その一端は前記第二ケースに突出する、
ことを特徴とする請求項７に記載のボックス／かばん用ロック。
【請求項１４】
前記回転軸は前記第三ケースと隣接する底面で少なくとも二つの柱形の突起を設け、
前記第三ケースは前記柱形の突起と対応する位置に収容孔を設け、
前記柱形の突起を対応的な収容孔に置き、前記回転軸が前記第三ケースに対して回転できず、前記第三ケースに固定的に連結するようになる、ことを前記回転軸と前記第三ケースの固定方法とする、
ことを特徴とする請求項１３に記載のボックス／かばん用ロック。
【請求項１５】
前記回転軸は中空で、前記第三ケースは前記回転軸の対応的な位置に中空円柱を設け、その中空円柱は前記回転軸の中に置き；
その中空円柱は雌ねじを設け、一つのボルト継手がその中空円柱を通り抜き、前記回転軸と前記第三ケースをさらに固定的に連結する、
ことを特徴とする請求項１４に記載のボックス／かばん用ロック。
【請求項１６】
前記回転軸に前記第二ケースがアキシャル方向に移動することを阻止するボスを設け、前記ボスは回転パートの中部に設ける、
ことを特徴とする請求項１３に記載のボックス／かばん用ロック。
【請求項１７】
前記ボックス／かばん用ロックにさらに一つのセルフロック防止機構を設け、前記セルフロック防止機構は一つのセルフロック防止のリンケージ部品と、一つの相互にかみ合うバンプとスライド溝セットとを含み、
前記セルフロック防止のリンケージ部品は、その中部にある中空筒及び該中空筒から伸びる第一曲線縁と第二曲線縁を含み、前記第一ケースあるいは第二ケースは前記中空筒に対応して連結軸を設け、前記セルフロック防止のリンケージ部品は前記連結軸を通して前記第一ケースまたは第二ケースに枢動可能に設け、前記第一曲線縁は第一曲線縁を推進する弾性要素によって前記第一ケースまたは第二ケースに連結し、前記第二曲線縁は自由端であり、
前記バンプは前記第三ケースの前記第二ケースと隣接する一側面に突き出して設置し、前記スライド溝は前記第二ケースの前記バンプと対応する位置に設け、前記バンプは、前記回転パートの前記第三ケースに対する回転につれて、前記スライド溝の中で滑動でき、
前記バンプは前記スライド溝の一端までに滑る時、前記セルフロック防止のリンケージ部品の第一曲線縁は弾性要素の推力を受けて、前記バンプに突上げ、前記バンプのスライド溝の反対端に滑ることを阻止し、かつ前記セルフロック防止のリンケージ部品の第二曲線縁は第二ケースの前記開口部を閉めて、かんぬきのその開口部に入ることを阻止し、あるいは前記バンプが前記スライド溝の一端までに滑る時、前記セルフロック防止のリンケージ部品の第一曲線縁は弾性要素の推力を受け、中部の中空筒を通して、その推力を第二曲線縁に移し、該第二曲線縁が前記バンプを受け止め、それをスライド溝の中で滑られないようにさせる、
ことを特徴とする請求項７に記載のボックス／かばん用ロック。
【請求項１８】
前記第一ケースまたは第二ケースにさらにセルフロック防止のリンケージ部品の第一曲線縁の移動軌跡を制限するガイドバーを設ける、
ことを特徴とする請求項１７に記載のボックス／かばん用ロック。
【請求項１９】
前記第二ケースと前記回転軸にさらに回転の手触りを増強する機構を設け、前記回転の手触りを増強する機構は、前記回転軸から伸びだした一つの柱を含み、前記柱は中空で、その中に弾性要素を設け、前記弾性要素の外側に円形の珠を設け、前記第二ケースは前記円形の珠と対応する円周に少なくとも二つの小さな円孔を設け、前記円形の珠が前記小さな円孔を通り抜ける時、回転の手触りを生じる、
ことを特徴とする請求項１３に記載のボックス／かばん用ロック。
【請求項２０】
前記弾性要素はバネで、前記円形の珠は鋼球である、
ことを特徴とする請求項１９に記載のボックス／かばん用ロック。
【請求項２１】
前記第二ケースと前記回転軸にさらに回転の手触りを増強する機構を設け、前記回転の手触りを増強する機構は、一つのＵ型のねじり弾性要素を含み、該Ｕ型のねじり弾性要素は中部と両端を含み、該中部は一つの円環形の構造を通して、前記回転軸の第二ケースから突き出した一端に固定され、前記Ｕ型のねじり弾性要素の一端は前記回転軸の縁に固定され、他端は前記第二ケースの表面と接触する；前記第二ケースは前記Ｕ型のねじり弾性要素と接触する接点の円周に少なくとも二つの突起を設け、前記第二ケースは前記第三ケースに対して回転する時、前記Ｕ型のねじり弾性要素と前記第二ケースと接触する一端は前記突起に通し、従って回転の手触りが生じられる、
ことを特徴とする請求項１５に記載のボックス／かばん用ロック。
【請求項２２】
前記回転軸は前記ボルト継手の頭部と隣接する片側に二つの限位スロットを設け、前記Ｕ型のねじり弾性要素の一端は前記限位スロットを通して、前記回転軸の縁に固定される、
ことを特徴とする請求項２１に記載のボックス／かばん用ロック。
【発明の詳細な説明】
【技術分野】
【０００１】
本発明は日常生活用品の技術分野に関し、特にボックス／かばん用ロックに関する。
【背景技術】
【０００２】
一般的に、ボックス／かばん用ロックとは専門的に箱形製品（たとえば、トランク、スーツケースなど）をロックする一種の特定機能を有する錠前である。従来のボックス／かばんは、他人に勝手に開けられることを防ぐために、一般的にボックス／かばんの箱体にロックボディを設け、箱の蓋にラッチフックを設け、箱の蓋と箱体が係合する時、ラッチフックがロックボディに挿入され、かつロックボディに自動的に錠を下ろし、ラッチフックを施錠する。ロックボディが解錠されなければ、ラッチフックはロックボディから解放できず、つまり箱の蓋は開けられない。
【発明の概要】
【発明が解決しようとする課題】
【０００３】
従来のボックス／かばん用ロックは、ほとんどが箱体又は包装体の中に嵌る長方形の係合ロックで、他の形の錠前、たとえば円形ロックがあまり使用されておらず、形と構造も単一である。また、他の分野に使用される円形の回転ロックは構造が簡単すぎて、誰でも手動で回転して、施錠と解錠を実現でき、ボックス／かばんに直接用いるのには安全性が低い。そして、従来のボックス／かばん用ロックの自動的に錠を下ろす設計は使用しやすくするためであるが、不注意で箱の蓋が落ちる時には、ボックス／かばん用ロックも自動的に錠を下ろす欠点が存在し、使用者に不便をもたらす。
【課題を解決するための手段】
【０００４】
本発明の技術方法は以下どおりである。
【０００５】
ボックス／かばん用ロックであり、一つのかんぬきと、一つのロックボディとを含み、かんぬきは、ボックス又はかばんの片側に固定され、ロックボディは、固定パートと回転パートを含み、前記固定パートはボックス又はかばんの反対側に固定され、前記回転パートは前記固定パートに枢動可能に連結され、前記回転パートに開口部を設け、前記開口部に沿って中に伸びて、前記かんぬきがその中で滑ることで施錠または解錠を行うスライド溝を設けることを特徴とするボックス／かばん用ロック。
【０００６】
優れた案として、前記ボックス／かばん用ロックはさらにロックシリンダを含み、前記ロックシリンダは前記回転パートに嵌って設けられ、かつそのロックシリンダ軸を回って前記回転パートに対して回転でき、前記ロックシリンダの一端はロック部を設け、前記固定パートは前記ロック部とかみ合って使用する施錠機構を設け、前記ロック部と前記施錠機構のかみ合いを通して施錠又は解錠を行い、施錠する時、前記回転パートは前記固定パートに相対的に回転できず、解錠する時、前記回転パートは前記固定パートに相対的に回転できる。
【０００７】
優れた案として、前記回転パートは第一ケースと第二ケースを含み、前記第一ケースは前記第二ケースと固定的に連結し、前記第二ケースと前記固定パートに枢動可能に連結し、前記ロックシリンダは前記第一ケースの内に嵌って設けられ、かつ前記第二ケースを通り抜け、前記第二ケースに開口部を設け、前記開口部に沿って中に伸びて、前記かんぬきがその中で滑ることで施錠または解錠を行うスライド溝を設け、前記第一ケースは前記開口部に対応する位置に開け口を設ける。
【０００８】
優れた案として、前記固定パートに設けられる前記施錠機構は一つの収容溝であり、ロックシリンダに設けられる前記ロック部は前記収容溝と噛み合わせる柱であり、
前記ロックシリンダを順方向に回転し、前記柱を前記収容溝の内部に挿入させることで、前記回転パートの前記固定パートに対する回転を阻止でき、
前記ロックシリンダを逆方向に回転し、前記柱を前記収容溝から離れさせることで、前記回転パートが前記固定パートに相対的に回転できる。
【０００９】
優れた案として、前記ロックシリンダの外側に一つのロックシリンダのカバーを設け、前記ロックシリンダが回転して前記ロックシリンダのカバーの中に連結し、前記ロックシリンダのカバーは前記回転パートに嵌って設けられ、前記ロックシリンダのカバーに少なくとも一つの軌道溝を設け、該軌道溝は一つの長端と一つの短端を含み、幅は長端から短端に徐々に移行し、前記ロックシリンダの外側には対応的に少なくとも一つのバンプを設け、前記ロックシリンダを回転する時、前記バンプが前記軌道溝に沿って滑動し、前記ロックシリンダを前記ロックシリンダのカバーに対して内に又は外に移動し、前記柱を前記収容溝に対し挿入される又は離される、
【００１０】
優れた案として、固定パートに設けられる前記施錠機構は一つの鉤形の突起で、ロックシリンダに設ける前記ロック部は一つの半円柱で、かつ前記鉤形の突起の下に伸びるように設けられ、
前記ロックシリンダを順方向に回転し、前記半円柱を前記鉤形の突起の垂直面に位置させることで、前記回転パートの前記固定パートに対する回転が阻止され；
前記ロックシリンダを逆方向に回転し、前記半円柱を前記鉤形の突起の平行な面に位置させることで、前記回転パートの前記固定パートに対する回転が許容される。
【００１１】
本発明はさらに一種のボックス／かばん用ロックを提供する。
それは一つのかんぬきと、一つのロックボディと、一つのロックシリンダとを含み、かんぬき、ボックス又はかばんの片側に固定され、ロックボディは、順番に連結される第一ケース、第二ケース、及び第三ケースを含み、前記第一ケースと第二ケースが固定的に連結して回転パートになり、前記第三ケースが固定パートとしてボックス／かばんの反対側に固定され、前記第二ケースが前記第三ケースに枢動可能に連結し、前記第二ケースに開口部を設け、前記開口部に沿って中に伸びて、前記かんぬきがその中で滑ることで施錠または解錠を行うスライド溝を設け、前記第一ケースは前記開口部に対応する位置に開け口を設け、ロックシリンダは、前記第一ケースに嵌って設けられ、かつ前記第一ケースに対して回転でき、前記ロックシリンダの一端にロック部を設け、前記第三ケースに前記ロック部とかみ合って使用する施錠機構を設け、前記第二ケースには前記ロックシリンダに通り抜けられる貫通孔を設け、前記ロック部と前記施錠機構のかみ合いを通して施錠または解錠を行い、施錠する時、前記回転パートは前記固定パートに対して回転できず、解錠する時、前記回転パートは前記固定パートに対して回転できる。
【００１２】
優れた案として、前記固定パートに設けられる前記施錠機構は一つの収容溝で、ロックシリンダに設けられる前記ロック部は前記収容溝に噛み合わせる柱で、その中で、
前記ロックシリンダを順方向に回転し、前記柱を前記収容溝の内部に挿入させることで、前記回転パートの前記固定パートに対する回転が阻止され、
前記ロックシリンダを逆方向に回転し、前記柱を前記収容溝から離れさせることで、前記回転パートの前記固定パートに対する回転が許容される。
【００１３】
優れた案として、前記ロックシリンダの外側に一つのロックシリンダのカバーを設け、前記ロックシリンダが回転して前記ロックシリンダのカバーの中に連結し、前記ロックシリンダのカバーは前記回転パートに嵌って設けられ、前記ロックシリンダのカバーに少なくとも一つの軌道溝を設け、該軌道溝は一つの長端と一つの短端を含み、幅は長端から短端に徐々に移行し、前記ロックシリンダの外側には対応的に少なくとも一つのバンプを設け、前記ロックシリンダを回転する時、前記バンプが前記軌道溝に沿って滑動し、前記ロックシリンダが前記ロックシリンダのカバーに対して移動する。
【００１４】
優れた案として、固定パートに設ける前記施錠機構は一つの鉤形の突起で、ロックシリンダに設ける前記ロック部は前記鉤形の突起の下に伸びるように設けられ、
前記ロックシリンダを順方向に回転し、前記ロック部を前記鉤形の突起の垂直面に位置させることで、前記回転パートの前記固定パートに対する回転が阻止される。
前記ロックシリンダを逆方向に回転し、前記ロック部を前記鉤形の突起の平行な面に位置させることで、前記回転パートの前記固定パートに対する回転が許容される。
【００１５】
優れた案として、前記ロックシリンダの外側に一つのロックシリンダのカバーを設け、前記ロックシリンダが回転して前記ロックシリンダのカバーの中に連結し、前記ロックシリンダのカバーは前記回転パートに嵌って設けられ、前記ロックシリンダと前記ロックシリンダのカバーにロックシリンダの移動制限装置を設け、前記ロックシリンダの移動制限装置は、前記ロックシリンダの外側に設ける一つまたは二つのバンプと、
前記ロックシリンダのカバーに設け、かつ前記一つまたは二つのバンプとそれぞれに対応する一つまたは二つの制限溝とを含み、、前記ロックシリンダは、前記制限溝に制限されるバンプのストロークの中に前記ロックシリンダのカバーに対して回転する。
【００１６】
優れた案として、前記回転パートの第一ケースと／或いは第二ケースに前記ロックシリンダのカバーとかみ合う収容溝を設け、前記ロックシリンダのカバーは前記収容溝の中に設置する。
【００１７】
優れた案として、前記第二ケースと第三ケースは一つの回転軸より連結し、前記第二ケースの対応する位置に前記回転軸を通り抜けられるスロットを設け、前記回転軸は前記第三ケースに固定的に連結し、かつ前記第二ケースに枢動可能に連結し、その一端は前記第二ケースに突出する。
【００１８】
優れた案として、前記回転軸は前記第三ケースと隣接する底面で少なくとも二つの柱形の突起を設け、前記第三ケースは前記柱形の突起と対応する位置に収容孔を設け、前記柱形の突起を対応的な収容孔に置き、前記回転軸が前記第三ケースに対して回転できず、前記第三ケースに固定的に連結するようになる、ことを前記回転軸と前記第三ケースの固定方法とする。
【００１９】
優れた案として、前記回転軸は中空で、前記第三ケースは前記回転軸の対応的な位置に中空円柱を設け、その中空円柱は前記回転軸の中に置き、その中空円柱は雌ねじを設け、一つのボルト継手をその中空円柱を通り抜き、前記回転軸と前記第三ケースをさらに固定的に連結する。
【００２０】
優れた案として、前記回転軸に前記第二ケースがアキシャル方向に移動することを阻止するボスを設け、前記ボスは回転パートの中部に設ける。
【００２１】
優れた案として、前記ボックス／かばん用ロックにさらに一つのセルフロック防止機構を設け、前記セルフロック防止機構は一つのセルフロック防止のリンケージ部品と、一つの相互にかみ合うバンプとスライド溝セットとを含み、前記セルフロック防止のリンケージ部品は、その中部にある中空筒及び該中空筒から伸びる第一曲線縁と第二曲線縁を含み、前記第一ケースあるいは第二ケースは前記中空筒に対応して連結軸を設け、前記セルフロック防止のリンケージ部品は前記連結軸を通して前記第一ケースまたは第二ケースに枢動可能に設け、前記第一曲線縁は第一曲線縁を推進する弾性要素によって前記第一ケースまたは第二ケースに連結し、前記第二曲線縁は自由端であり、前記バンプは前記第三ケースの前記第二ケースと隣接する一側面に突き出して設置し、前記スライド溝は前記第二ケースの前記バンプと対応する位置に設け、前記バンプは、前記回転パートの前記第三ケースに対応する回転につれて、前記スライド溝の中で滑動でき、前記バンプは前記スライド溝の一端までに滑る時、前記セルフロック防止のリンケージ部品の第一曲線縁は弾性要素の推力を受けて、前記バンプに押さえ、前記バンプのスライド溝の反対端に滑ることを阻止し、かつ前記セルフロック防止のリンケージ部品の第二曲線縁は第二ケースの前記開口部を閉めて、かんぬきのその開口部に入ることを阻止し、あるいは前記バンプが前記スライド溝の一端までに滑る時、前記セルフロック防止のリンケージ部品の第一曲線縁は弾性要素の推力を受け、中部の中空筒を通して、その推力を第二曲線縁に移し、該第二曲線縁が前記バンプを受け止め、それをスライド溝の中で滑られないようにさせる。
【００２２】
優れた案として、前記第一ケースまたは第二ケースにさらにセルフロック防止のリンケージ部品の第一曲線縁の移動軌跡を制限するガイドバーを設ける。
【００２３】
優れた案として、前記第二ケースと前記回転軸にさらに回転の手触りを増強する機構を設け、前記回転の手触りを増強する機構は、前記回転軸から伸びだした一つの柱を含み、前記柱は中空で、その中に弾性要素を設け、前記弾性要素の外側に円形の珠を設け、前記第二ケースは前記円形の珠と対応する円周に少なくとも二つの小さな円孔を設け、前記円形の珠が前記小さな円孔を通り抜ける時、回転手触りを生じる。
【００２４】
優れた案として、前記弾性要素はバネで、前記円形の珠は鋼球である。
【００２５】
優れた案として、前記第二ケースと前記回転軸にさらに回転の手触りを増強する機構を設け、前記回転の手触りを増強する機構は、一つのＵ型のねじり弾性要素を含み、該Ｕ型のねじり弾性要素は中部と両端を含み、該中部は一つの円環形の構造を通して、前記回転軸の第二ケースから突き出した一端に固定され、前記Ｕ型のねじり弾性要素の一端は前記回転軸の縁に固定され、他端は前記第二ケースの表面と接触する；前記第二ケースは前記Ｕ型のねじり弾性要素と接触する接点の円周に少なくとも二つの突起を設け、前記第二ケースは前記第三ケースに対して回転する時、前記Ｕ型のねじり弾性要素と前記第二ケースと接触する一端は前記突起に通し、従って回転手触りが生じられる。
【００２６】
優れた案として、前記回転軸は前記ボルト継手の頭部と隣接する片側に二つの限位スロットを設置し、前記Ｕ型のねじり弾性要素の一端は前記限位スロットを通して、前記回転軸の縁に固定される。
【００２７】
従来技術と比べると、本発明の有益な効果は以下のとおりである。
【００２８】
１、本発明のボックス／かばん用ロックは回転施錠と回転解錠の方法を採用し、現在使用されている係合ロックと違い、新たなボックス／かばん用ロックである。
２、本発明のボックス／かばん用ロックにロックシリンダを設け、鍵を使ってこそ開けられ、安全性を大きく高めた。
３、本発明のボックス／かばん用ロックにセルフロック防止機構を設け、効果的に、ボックス／かばんの上蓋が下蓋に落ちる時に起きたセルフロック問題が防がれる。
４、本発明のボックス／かばん用ロックに回転の手触りを増強する機構を設け、使用者にさらに便利で精確にロックの開／閉を把握できる。
５、本発明のボックス／かばん用ロックの最適の形は円形で、操作しやすい。
当然、本発明のいずれの製品を実施するには、前記長所を全部同時に具備するとは限らない。
【発明の効果】
【００２９】
本発明は一種のボックス／かばん用ロックを提供し、そのボックス／かばん用ロックは新たな回転ロックで、かつロックシリンダを設け、鍵を使ってこそ開けられ、使用が安全で、さらにセルフロック防止機構を設け、従来のボックス／かばん用ロックが存在している、不注意で箱の蓋が落ちる時、ボックスロックも自動的に錠をおろす欠点を解決できる。
【図面の簡単な説明】
【００３０】
【図１】本発明の構造説明図である。
【図２】本発明実施例１のボックス／かばん用ロックの構造組立て説明図である。
【図３】本発明実施例１のボックス／かばん用ロックの構造組立て説明図であり、図２の逆方向を表示する。
【図４Ａ】本発明実施例１のボックス／かばん用ロックの主軸筒と第二ケースの構造説明図である。
【図４Ｂ】本発明実施例１のボックス／かばん用ロックの主軸筒と第三ケースの構造説明図である。
【図５】本発明実施例１のボックス／かばん用ロックのロックシリンダの構造説明図である。
【図６】本発明実施例２のボックス／かばん用ロックの構造組立て説明図である。
【図７】本発明実施例２のボックス／かばん用ロックのかんぬきの構造説明図である。
【図８】本発明実施例２のボックス／かばん用ロックの第二ケースと第三ケースを連結する回転軸の構造説明図である。
【図９】本発明実施例２のボックス／かばん用ロックのロックシリンダの構造説明図である。
【図１０】本発明実施例２のボックス／かばん用ロックのロックシリンダのカバーの構造説明図である。
【図１１】本発明実施例２のボックス／かばん用ロックの第三ケースの構造説明図である。
【図１２】本発明実施例２のボックス／かばん用ロックのセルフロック防止のリンケージ部品の構造説明図である。
【図１３】本発明実施例２のボックス／かばん用ロックの第一ケースの構造説明図である。
【図１４】本発明実施例２のボックス／かばん用ロックのＵ型のねじりバネの構造説明図である。
【図１５】本発明実施例２のボックス／かばん用ロックの第二ケースの構造説明図である。
【図１６】本発明実施例２のボックス／かばん用ロックが開いている状態の応用説明図である。
【発明を実施するための形態】
【００３１】
本発明はボックス／かばん用ロックを提供する。該ボックス／かばん用ロックは新たな回転ロックであり、かつロックシリンダを設け、鍵を使ってこそ開けられ、使用に安全である。また、セルフロック防止機構を設け、ボックス／かばんの上蓋が下蓋に落ちる時に起きたセルフロック問題が防がれる。
【００３２】
図１を参照し、本発明が提供するボックス／かばん用ロックは、一つのかんぬき４”と、一つのロックボディとを含み、かんぬき４”はボックス／かばんの片側に固定され、ロックボディは固定パートと回転パート１”を含み、固定パートはボックス／かばんの反対側に固定され、回転パートは固定パートに枢動可能に連結される。回転パートは一つあるいは二つの部品を含み、一つの部品を含むとき、比較的に良い方案として、その部品は一つの底面と一つの環形の側面を含み、前記側面に一つの平板が連結し設けられ、該平板は前記底面と平行でき、その面積は前記底面より小さいほうがいい。該平板に開口部を設け、前記開口部に沿って中に伸びて、前記かんぬきがその中で滑ることで施錠又は解錠を行うスライド溝を設ける。回転パートが二つの部品を含む状況については、以下の実施例で図面を参照して詳しく説明する。
【００３３】
本発明の比較的に良い実施例では、該ボックス／かばん用ロックはさらに一つのロックシリンダを含み、前記ロックシリンダは前記回転パートに嵌って設けられ、かつそのロックシリンダ軸を回って、前記回転パートに相対して回転でき、前記ロックシリンダの一端にロック部を設け、前記固定パートに前記ロック部とかみ合って使用する施錠機構を設け、前記ロック部と前記施錠機構のかみ合いを通して施錠または解錠を行い、施錠する時、前記回転パートは前記固定パートに相対的に回転できず、解錠する時、前記回転パートは前記固定パートに相対的に回転できる。
【００３４】
前記ロック部と施錠機構の方案は以下であるとよい。
【００３５】
固定パートに設けられる前記施錠機構は一つの収容溝で、ロックシリンダに設ける前記ロック部は前記収容溝と噛み合わせる柱であり、
前記ロックシリンダを順方向に回転し、前記柱を前記収容溝の内部に挿入させるので、前記回転パートの前記固定パートに対する回転を阻止できる。
前記ロックシリンダを逆方向に回転し、前記柱を前記収容溝から離れさせるので、前記回転パートが前記固定パートに相対して回転をできる。前記ロックシリンダの外側に一つのロックシリンダのカバーを設け、前記ロックシリンダが回転して前記ロックシリンダのカバーの中に連結し、前記ロックシリンダのカバーは前記回転パートに嵌って設けられる。前記ロックシリンダのカバーには少なくとも一つの台形の軌道溝を設け、前記ロックシリンダの外側には少なくとも一つのバンプを設け、前記ロックシリンダを回転する時、前記バンプが前記台形の軌道溝に沿って滑動し、これにより、前記ロックシリンダを前記ロックシリンダのカバーに対して内に又は外に移動し、前記柱が前記収容溝に対し挿入される又は離される。
【００３６】
又は固定パートに設けられる前記施錠機構は、一つの鉤形の突起で、ロックシリンダに設けられる前記ロック部は一つの半円柱で、かつ前記鉤形の突起の下に伸びるように設けられ、
前記ロックシリンダを順方向に回転し、前記半円柱を前記鉤形の突起の垂直面に位置させることで、前記回転パートの前記固定パートに対する回転が阻止され、
前記ロックシリンダを逆方向に回転し、前記半円柱を前記鉤形の突起の平行な面に位置させることで、前記回転パートの前記固定パートに対する回転が許容される。
【００３７】
本発明の他の実施例には、ロックシリンダのカバーとロックシリンダにロックシリンダの移動制限装置も設けられ、前記ロックシリンダの移動制限装置は以下の特徴を含む：
【００３８】
一つまたは二つのバンプが、前記ロックシリンダの外側に設けられ、
一つまたは二つの制限溝が、前記ロックシリンダのカバーに設けられ、かつ前記一つまたは二つのバンプとそれぞれに対応し、前記ロックシリンダは前記制限溝に制限されるバンプのストローク中において、前記ロックシリンダのカバーに対して回転する。
【００３９】
ここで、ロックシリンダのカバーの固定方法は次のとおりである。
すなわち、回転パートにロックシリンダのカバーとかみ合う収容溝を設け、ロックシリンダのカバーは該収容溝を通して回転パートに固定的に連結する。
ロックシリンダのカバーは、回転パートに対して回転し難くなるため、非円形を採用したほうが比較的に良い。当然、円形を採用することもでき、その場合は接着剤で回転パートに固定的に連結する。
【００４０】
本発明のボックス／かばん用ロックはボックスまたはかばんに使用でき、以下はそのロックをボックスに使用することを例として、図面と具体的な実施例において本発明をさらに説明する。
【００４１】
実施例１
図２と図３に参照される本実施例のボックス／かばん用ロックは、ボックスに使用され、以下の特徴を含む。
【００４２】
一つのかんぬき４’。そのかんぬきは一つの施錠部品４１’と一つの連結部品４２’を含み、連結部品４２’を通してボックスの上蓋または下蓋に固定することができ、通常、使用慣例により、かんぬき４’はボックスの上蓋に固定され、その中で連結部品４２’の両端にボルト穴を設け、ボルトをそのボルト穴に通り抜け、ボックスの上蓋に固定することによって、かんぬき４’を固定させる。
【００４３】
一つのロックボディ。そのロックボディは順番に連結される第一ケース１’、第二ケース２’と第三ケース３’を含み、その中で、第二ケース２’と第一ケース１’が固定的に連結して、共に回転パートとなる。具体的に、連結方法はボルトで固定的に連結し、三つのボルトを第一ケース１’に設置されるボルト穴１７’、１８’、１９’と第二ケース２’に設置されるボルト穴２０’、２８’、２９’をそれぞれの順番に通り抜け、第二ケース２’と第一ケース１’を固定的に連結させる。本実施例の図２と図３に示したように、第二ケース２’は平板状で、第一ケース１’は一つの底面と一つの円環側面を含み、本発明の他の実施例において、第一ケースは平板状で、第二ケースは一つの底面と一つの円環側面を含んでもいい。本実施例の図は説明用のみであり、その形は本発明に対する制限と理解してはいけない。図２において、第三ケース３’は固定パートとして、ボックスの上蓋または下蓋に固定でき、かんぬき４’がボックスの上蓋に固定される時、第三ケース３’はボックスの下蓋に固定され、具体的に、二つのボルトが第三ケース３’の二つのボルト穴３５’、３６’を通り抜けて第三ケースを固定し、かつ第三ケース３’は、第二ケース２’と第一ケース１’より構成された回転パートと枢動可能に連結し、該回転パートは第三ケース３’に対して回転できる。
【００４４】
ここで、第二ケース２’と第三ケース３’は一つの連結軸を通して連結し、本実施例では、その連結軸は主軸筒５’で、主軸筒５’は第三ケース３’に固定的に連結して第二ケース２’に枢動可能に連結し、かつその一端は第二ケース２’に突起し、第二ケース２’は対応的な位置に主軸筒５’を通り抜けられるスロットを設け、主軸筒５’はそのスロットを通り抜けて第三ケース３’に固定的に連結する。優れた案として、主軸筒５’が第三ケース３’に固定的に連結する具体的な方法は次のとおりである。すなわち、主軸筒５’は第三ケース３’と隣接する底面に少なくとも二つの柱形突起を設け、本実施例には二つの柱形突起５１１’、５１２’を設け、図４Ａを参照し、当然、三つまたは三つ以上の柱形突起を設置してもいい。第三ケース３’は柱形突起５１１’、５１２’と対応する位置に収容穴３１１’、３１２’を設け、図４Ｂを参照し、柱形突起５１１’、５１２’を対応的な収容穴３１１’、３１２’内に置きしてから、主軸筒５’が第三ケース３’に対して回転できなく、第三ケース３’に固定的に連結するようになる。本実施例では、主軸筒５’は中空円柱で、それに貫通穴５２’を設け、第三ケース３’の第二ケース２’と隣接する一側面に一つの中空円柱３７’を突き出して設置し、図２を参照し、比較的に良い案として、主軸筒５’と第三ケース３’との固定をさらにうまく実現できるため、前記中空円柱３７’は主軸筒５’の貫通穴５２’の中に設け、前記中空円柱３７’の中に雌ねじを設け、第三ケース３’は対応的な位置にボルトを収容する収容穴３２’を設け、ボルト６’は中空円柱３７’の雌ねじと第三ケース３’の収容穴３２’ を通して第三ケース３’に固定的に連結し、かつ同時に主軸筒５’を第三ケース３’に固定する。それ以外、主軸筒５’と第二ケース２’にさらに回転の手触りを増強する機構を設け、具体的には次のとおりである。すなわち、主軸筒５’の片側から柱５３’が伸び出され、その柱５３’の第三ケース３’と接触する一端に収容溝を設け、その溝の中に位置決めのボールプランジャー部品を設け、それを対応して、第二ケース２’は少なくとも二つの円孔２１１、２１２を設け、位置決めのボールプランジャー部品とかみ合い、使用者の施錠する位置の位置決めと回転の手触りの増強を助けることに用いる。
【００４５】
第二ケース２’に開口部２２’を設け、開口部２２’に沿って中に伸びて、かんぬき４’がその中で滑ることで施錠または解錠を行うスライド溝２３’を設け、第一ケース１’は開口部２２’に対応する位置に開け口１２’に設ける。
【００４６】
その他、本実施例のボックス／かばん用ロックはさらに一つのロックシリンダ７’を含み、ロックシリンダ７’はロックボディに設け、かつロックボディに相対的に回転でき、ロックシリンダ７’の外側に一つのロックシリンダのカバー８’を設け、ロックシリンダ７’は回転してロックシリンダのカバー８’の中に連結し、ロックシリンダのカバー８’は第一ケース１’に固定的に連結し、具体的に、第一ケース１’にさらにロックシリンダのカバー８’とかみ合う収容溝１３’を設け、ロックシリンダのカバー８’は収容溝１３’の中に固く設け、第二ケース２’の対応する位置にロックシリンダ７’が通り抜けられる貫通穴２４’を設け、ロックシリンダ７’は貫通穴２４’を通りぬけて第三ケース３’と接触する。本実施例において、比較的に良い案として、ロックシリンダのカバー８’は非円形で、その外側にたくさんの突起を設け、それが第一ケース１’に対して回転することを防止できる。当然、ロックシリンダのカバーは円形にしてもよく、接着剤などの常用する固定方法で第一ケース１’に固定できる。ロックシリンダを設けることを通して、本実施例のボックス／かばん用ロックは鍵を使ってこそ開けられるようになり、安全性を大きく高める。ロックシリンダ７’の施錠機構は次のとおりである。すなわち、ロックシリンダ７’の外側面に少なくとも一つのバンプを設け、本実施例には一つのバンプ７１’を設け、図５を参照し、ロックシリンダのカバー８’はバンプ７１’と対応する位置に軌道溝を設け、図３を参照し、軌道溝は一つの長端と一つの短端を含み、幅は長端から短端に徐々に移行し、比較的に良い案として、その軌道溝は一つの台形溝８１’で、つまりその一端は他端より少し長く、かつ長短から短端までは直線型のように徐々に移行し、ロックシリンダ７’は軌道溝８１’で制限する突起７１’のストロークの中で、ロックシリンダのカバー８’に相対して回転し、かつ回転過程中にロックシリンダのカバー８’に相対して内または外に移動する。また、ロックシリンダ７’は鍵穴面と相対する一つの底面に一つの柱を設け、比較的に良い案としては一つの小さな円柱７３’を設け、図５を参照し、第三ケース３’にロックシリンダ７’とかみ合う第一収容溝３３’を設け、収容溝３３’の底部に小さな円柱７３’とかみ合う第二収容溝３３１’を設け、また、収容溝３３’の片側からさらに外に伸びて一つの線形溝３３２’を設け、その線形溝３３２’の内に線形ノッチ３３３’を設け、図２を参照し、ロックシリンダ７’の底部は線形溝３３２’の中で滑られ、同時に小さな円柱７３’が前記線形ノッチ３３３’の中で滑られる。ロックシリンダ７’を回転して、その上のバンプ７１’をロックシリンダのカバー８’の長端から短端へ移動させる時、ロックシリンダ７’は内に移動し、前記小さな円柱７３’は第三ケース３’の第二収容溝３３１’に挿入することになり、第一ケース１’と第二ケース２’より構成された回転パートは第三ケース３’に対して回転ができず、ボックスを施錠することになる。ロックシリンダ７’を回転し、その上のバンプ７１’をロックシリンダのカバー８’の短端から長端に移動させる時、ロックシリンダ７’は外に移動し、前記小さな円柱７３’は第三ケース３’の第二収容溝３３１’から離れ、第一ケース１’と第二ケース２’より構成された回転パートは第三ケース３’に対して回転ができ、ボックスのロックを解除することになる。第一ケース１’と第二ケース２’より構成される回転パートは第三ケース３’に対して回転する時、ロックシリンダ７’の底部は線形溝３３２’の中ですべり、同時にロックシリンダ７’上の小さな円柱７３’は線形ノッチ３３３’に沿って滑る。
【００４７】
また、本実施例のボックス／かばん用ロックにはさらに一つのセルフロック防止機構を設け、そのセルフロック防止機構は以下の特徴を含む。
【００４８】
一つのセルフロック防止のリンケージ部品９’。
セルフロック防止のリンケージ部品９’はその中部に設けられる中空筒９１’及びその中空筒９１’から伸び出した二つの曲線縁を含み、それぞれは第一曲線縁９２’と第二曲線縁９３’であり、第一ケース１’または第二ケース２’は対応的な位置に連結軸を設け、セルフロック防止のリンケージ部品９’は連結軸を通して第一ケース１’あるいは第二ケース２’に枢動可能に設ける。具体的には、本実施例には、第一ケース１’に連結軸１４’を設け、セルフロック防止のリンケージ部品９’は連結軸１４’を通して第一ケース１’に枢動可能に設けられる。
【００４９】
一つの相互にかみ合うバンプ３４’とスライド溝２５’セット。
バンプ３４’は第三ケース３’の第二ケース２’と隣接する一側面に突き出して設置し、スライド溝２５’は第二ケース２’のバンプ３４’と対応する位置に設け、バンプ３４’は、第二ケース２’と第一ケース１’より構成された回転パートの前記第三ケース３’に対する回転につれて、前記スライド溝２５’の中で滑り、かつセルフロック防止のリンケージ部品９’の第二曲線縁９３’が施錠位置にある時、バンプ３４’の滑る方向においてその移動を受け止め、したがって、第二ケース２’と第一ケース１’より構成された回転パートが第三ケース３’に相対的に回転できなくなる。具体的には次のとおりである。
【００５０】
バンプ３４’がスライド溝２５’の一端に滑る時、セルフロック防止のリンケージ部品９’ の第二曲線縁９３’はバンプ３４’の滑る方向の片側に突上げ、バンプ３４’がスライド溝２５’の他端に滑ることを阻止する。
【００５１】
ここで、セルフロック防止のリンケージ部品９’の第一曲線縁９２’は弾性要素を通して第一ケース１’と連結し、バンプ３４’がスライド溝２５’の上記一端まで滑る時、弾性要素は第一曲線縁９２’を推進して、中空筒９１’を通して力伝達を行って第二曲線縁９３’をバンプ３４’の片側に突上げさせ、それでバンプ３４’がスライド溝２５’の他端に滑ることを阻止する。弾性要素はバネでもよくて、その連結方法の一つの非制限的な例として、セルフロック防止のリンケージ部品９’の第一曲線縁９２’の外側に柱形突起９２１’を設け、第一ケース１’に弾性要素の固定溝１５’を設け、弾性要素の一端は柱形突起９２１’に設け、他端は固定溝１５’を通して第一ケース１’に固定する。本発明のその他の実施例には、セルフロック防止のリンケージ部品が第二ケースに連結する時、セルフロック防止のリンケージ部品の第一曲線縁は第二ケースと連結する。
【００５２】
また、本実施例には、第一曲線縁９２’を一定の範囲に制限して回転させ、精確にコントロールする目的を達成するため、第一ケース１’にはさらにセルフロック防止のリンケージ部品９’の第一曲線縁９２’の移動軌跡を制限するガイドバー１６’を設ける。
【００５３】
本実施例のボックスロックを施錠する必要がある時、ボックスの上蓋を下ろし、かんぬき４’の施錠部品４１’を第二ケース２’の開口部２２’と第一ケース１’の開け口１２’に構成される空洞の中に置いて、それから第二ケース２’と第一ケース１’から構成された回転パートを回転し、かんぬき４’の施錠部品４１’をスライド溝２３’に沿ってその底まで滑りさせ、そしてロックシリンダ７’を順方向に回転し、その上の小さな円柱７３’を第三ケース３’の第二収容溝３３１’に挿入させ、この時、第一ケース１’と第二ケース２’は第三ケース３’に相対的に回転できず、かんぬき４’の施錠部品４１’は自動に第二ケース２’のスライド溝２３’から滑りだせず、施錠過程を完成する。この時、セルフロック防止のリンケージ部品９’の第二曲線縁９３’は、第一曲線縁９２’のバネの弾力でバンプ３４’の滑る方向に受け止めている。ボックス／かばん用ロックを開ける必要がある時、まずは鍵を挿入して、施錠した時と反対する方向にロックシリンダ７’を回転し、その上の小さな円柱７３’を第三ケース３’の第二収容溝３３１’から離れさせ、それから第二ケース２’と第一ケース１’を回転し、かんぬき４’の施錠部品４１’を第二ケース２’のスライド溝に沿って開口部２２’まで滑りさせ、かつセルフロック防止のリンケージ部品９’の第二曲線縁９３’を推進して弾性要素を圧縮し、同時にロックシリンダ７’の小さな円柱７３’は線形ノッチ３３３’に沿って滑り、解錠が完成する。かんぬき４’の施錠部品４１’がロックボディに離れ、かつ使用者が回転力をかけない時、セルフロック防止のリンケージ部品９’の第一曲線縁９２’に連結する弾性要素が推力を生じ、したがって、第一ケース１’と第二ケース２’より構成された回転パートは第三ケース３’に対して回転し、第二ケース２’の開口部２２’をかんぬき４’の施錠部品４１’の真下にないようにさせ、この時、上蓋が落ちることによってかんぬき４’の施錠部品４１’が落ちても、ボックス／かばん用ロックは自動に錠をおろす状況は発生にならない。
【００５４】
以上の実施例には、第一ケース１’、第二ケース２’の外形形状は円形を優れた案としたが、本発明にはこれに限らない。同じ機能を実現できるその他の形状、たとえば方形、星型などのいずれの形状でも本発明の範囲内にある。
【００５５】
実施例２
図６に参照される本実施例のボックス／かばん用ロックは、ボックスに用いられ、以下の特徴を含む。
【００５６】
一つのかんぬき４。
そのかんぬきは一つの施錠部品４１と一つの連結部品４２を含み、図７を参照し、連結部品４２を通して、それをボックスの上蓋または下蓋に固定することができ、通常、使用慣例により、かんぬき４はボックスの上蓋に固定され、その中で連結部品４２の両端にボルト穴を設け、ボルトをそのボルト穴に通り抜け、ボックスの上蓋に固定することによって、かんぬき４を固定させる。
【００５７】
一つのロックボディ
そのロックボディは順番に連結される第一ケース１、第二ケース２および第三ケース３を含み、その中で、第二ケース２と第一ケース１が固定的に連結して、共に回転パートとなる。具体的に、連結方法はボルトで固定的に連結し、三つのボルトを第一ケース１に設けられるボルト穴１７、１８、１９と第二ケース２に設けられるボルト穴２０、２８、２９をそれぞれの順番に通り抜け、第二ケース２と第一ケース１を固定的に連結させる。本実施例の図には、第二ケース２は平板状で、第一ケース１は一つの底面と一つの円環側面を含み、本発明の他の実施例には、第一ケースは平板状で、第二ケースは一つの底面と一つの円環側面を含んでもいい。本実施例の図は説明用のみであり、その形は本発明に対する制限と理解してはいけない。図６には、第三ケース３は固定パートとして、ボックスの上蓋または下蓋に固定でき、かんぬき４がボックスの上蓋に固定される時、第三ケース３はボックスの下蓋に固定され、具体的にすれば、二つのボルトが第三ケース３の二つのボルト穴３５、３６を通り抜けて第三ケース３を固定し、かつ第三ケース３は、第二ケース２と第一ケース１より構成された回転パートと枢動可能に連結し、第二ケース２と第一ケース１より構成された回転パートは第三ケース３に対して回転できる。
【００５８】
ここで、第二ケース２と第三ケース３は一つの回転軸５を通して連結し、回転軸５は第三ケース３に固定的に連結して第二ケース２に枢動可能に連結し、かつその一端は第二ケース２に突起し、第二ケース２は対応的な位置に回転軸５を通り抜けられるスロット２１を設け、回転軸５は第三ケース３に固定的に連結し；具体的な構造は次のとおりである。すなわち、回転軸５は第三ケース３と隣接する底面に少なくとも二つの柱形突起を設け、本実施例には二つの柱形突起５１１、５１２を設け、図８を参照し、当然、三つまたは三つ以上の柱形突起を設けてもいい。第三ケース３柱形突起５１１、５１２と相対する位置に収容穴３１１、３１２を設け、柱形突起５１１、５１２を対応的な収容穴３１１、３１２に置きしてから、回転軸５が第三ケース３に対して回転できなく、第三ケース３に固定的に連結するようになる。本実施例には、回転軸５は中空円柱で、それに貫通穴５２を設け、第三ケース３の第二ケース２と隣接する一側面に一つの中空円柱３７を突き出して設置し、図１１を参照し、比較的に良い案として、回転軸５と第三ケース３との固定をさらにうまく実現できるため、前記中空円柱３７の中に雌ねじを設け、前記中空円柱３７は回転軸５の貫通穴５２に設けられ第三ケース３は対応的な位置にボルトを収容する収容穴３２を設け、ボルト６は中空円柱３７と第三ケース３の収容穴３２を通り抜けて第三ケース３に固定的に連結する。また、回転軸５の中部にさらにボス５３を設け、第二ケース２を制限し、それをアキシャル方向に移動できないことに用いる。
【００５９】
第二ケース２に開口部２２を設け、開口部２２に沿って中に伸びて、かんぬき４がその中で滑ることで施錠または解錠を行うスライド溝２３を設け、第一ケース１は開口部２２と対応する位置に開け口１２を設ける。
【００６０】
また、本実施例のボックス／かばん用ロックはさらに一つのロックシリンダ７を含み、ロックシリンダ７はロックボディに設け、かつロックボディに相対的に回転でき、ロックシリンダ７の外側に一つのロックシリンダのカバー８を設け、ロックシリンダ７は回転してロックシリンダのカバー８の中に連結し、ロックシリンダのカバー８は第一ケース１に固定的に連結し、具体的に、第一ケース１にロックシリンダのカバー８とかみ合う収容溝１３を設け、ロックシリンダのカバー８は収容溝１３の中に固く設ける。本実施例には、ロックシリンダのカバー８は非円形で、その外側にたくさんの突起を設け、それが第一ケース１に対して回転することを防止できる。当然、ロックシリンダのカバー８を円形に設け、接着剤で固定してもよい。ロックシリンダを設けることを通して、本実施例のボックス／かばん用ロックは鍵を使ってこそ開けられるようになり、安全性を大きく高める。ロックシリンダ７とロックシリンダのカバー８にロックシリンダの移動制限装置を設け、具体的に、前記ロックシリンダの移動制限装置は、ロックシリンダ７の外側面の相対する位置に設ける二つのバンプ７１、７２と、図９を参照し、ロックシリンダのカバー８のバンプ７１、７２とそれぞれに対応する位置に設ける二つの制限溝８１、８２とを含み、図１０を参照し、バンプ７１、７２と制限溝８１、８２がロックシリンダの移動制限装置を構成し、ロックシリンダ７は制限溝８１、８２に制限するバンプ７１、７２のストロークの中でロックシリンダのカバー８に対して回転し、したがって、ロックシリンダ７の移動を精確にコントロールできる。なお、ロックシリンダに設けるバンプとロックシリンダのカバーに設ける制限溝はそれぞれ一つに設置してもいい。
【００６１】
ロックシリンダ７の一端にロック部７３を設け、他端には鍵穴７４を設け、図９を参照し、同時に第三ケース３にロック部７３とかみ合って使用する施錠機構３３を設け、図１１を参照し、第二ケース２にロック部７３が通り抜けられる貫通穴２４を設け、ロック部７３は貫通穴２４を通り抜けて施錠機構３３に作用し、具体的に、ロック部７３は突き出して設置する一つの半円柱で、施錠機構３３は鉤形の突起で、その鉤形突起は第三ケース３の第二ケース２と隣接する一側面に設けられる。ロックシリンダを順方向に回転し、その上のバンプ７１、７２をロックシリンダのカバー８の制限溝８１、８２に制限されるストロークに沿って、一端から他端まで移動させ、ロック部７３を施錠機構３３の垂直面にある時、施錠機構３３の受け止めによって、ロック部７３が回転できず、したがってロックシリンダ７が回転できなくなり、さらに第二ケース２と第一ケース１より構成された回転パートの第三ケース３に対する回転を受け止めた。この時、もしロックシリンダ７を逆方向に回転すれば、ロック部７３が施錠機構３３の平行な面に位置することになり、この場合はロックシリンダ７が回転できるので、第二ケース２と第一ケース１より構成された回転パートは第三ケース３に対して回転できる。
【００６２】
また、本実施例のボックス／かばん用ロックには一つのセルフロック防止機構を設け、そのセルフロック防止機構は一つのセルフロック防止のリンケージ部品９と、一つの相互にかみ合うバンプ３４とスライド溝２５セットとを含み、セルフロック防止のリンケージ部品９はその中部にある中空筒９１及びその中空筒９１から伸びる二つの曲線縁を含み、それぞれは第一曲線縁９２と第二曲線縁９３であり、図１２を参照し、その中で第二曲線縁９３が取り付けられた後、第二ケース２の開口部２２の上で動け、第一ケース１又は第二ケース２の対応する位置に連結軸を設け、セルフロック防止のリンケージ部品９は連結軸を通して第一ケース１と第二ケース２に枢動可能に設け、具体的に、本実施例には、第一ケース１に連結軸１４を設け、セルフロック防止のリンケージ部品９は連結軸１４を通して第一ケース１に枢動可能に設ける。（図１３を参照）。
【００６３】
バンプ３４は第三ケース３の第二ケース２と隣接する一側面に突き出して設置し、スライド溝２５は第二ケース２のバンプ３４と対応する位置に設け、バンプ３４は、第二ケース２と第一ケース１の第三ケース３に対する回転につれて、スライド溝２５の中で滑動でき、かつセルフロック防止のリンケージ部品９の第一曲線縁９２が施錠位置にある時、バンプ３４と接触し、第二ケース２と第一ケース１より構成された回転パートを第三ケース３に対して回転できないようにさせる。詳細は次のとおりである。
【００６４】
バンプ３４がスライド溝２５の一端までに滑る時、セルフロック防止のリンケージ部品９の第一曲線縁９２はバンプ３４に突上げ、バンプ３４’をスライド溝２５の他端に滑ることを阻止し、したがって第二ケース２と第一ケース１より構成された回転パートが第三ケース３に対して回転することを阻止し、かつセルフロック防止のリンケージ部品９の第二曲線縁９３は第二ケース２の開口部２２の上に位置し、かんぬき４が落ちる時に完全に開口部２２の中に入れないようにさせる。
【００６５】
ここでセルフロック防止のリンケージ部品９の第一曲線縁９２は弾性要素（たとえば一本のバネ）を通して第一ケース１と連結し、バンプ３４がスライド溝２５の上記の一端までに滑る時、弾性要素は前記第一曲線縁９２を推進してバンプ３４に突上げ、それでバンプ３４がスライド溝２５の他端に滑ることを阻止し、さらに第二ケース２と第一ケース１より構成された回転パートの第三ケース３に対する回転を阻止し、かつセルフロック防止のリンケージ部品９の第二曲線縁９３は第二ケース２の開口部２２の上に位置し、かんぬき４が落ちる時に完全に開口部２２の中に入れないようにさせる。弾性要素はバネでもよく、その連結方法の一つの非制限的な例として、セルフロック防止のリンケージ部品９の第一曲線縁９２の外側に柱形突起９２１を設け、第一ケース１に弾性要素の固定溝１５を設け、図１２と図１３を参照し、弾性要素の一端は柱形突起９２１に設け、他端は固定溝１５を通して第一ケース１に固定する。その他の実施例には、セルフロック防止のリンケージ部品が第二ケースに連結する時、セルフロック防止のリンケージ部品の第一曲線縁は第二ケースと連結する。
【００６６】
また、本実施例には、第一曲線縁９２を一定の範囲に制限して回転させ、精確にコントロールする目的を達成するため、第一ケース１にさらにセルフロック防止のリンケージ部品９の第一曲線縁９２の移動軌跡を制限するガイドバー１６を設ける（図１３を参照）。
【００６７】
本実施例には、さらに第二ケース２に回転の手触りを増強する機構を設け、それが以下の特徴を含む。
一つのＵ型のねじり弾性要素が含まれ、比較的に良い案としては、Ｕ型のねじりバネ１０であり、それは中部に設ける一つの円環形の構造１０１と両端１０２、１０３を含み、図１４を参照し、前記中部の円環形の構造１０１はボルト６のボルト頭部６１と回転軸５の間に設け、その一端１０２は回転軸５の片側に固定され、具体的に、回転軸５はボルト頭部６１と隣接する片側に限位スロット５４、５５を設け、図８を参照し、Ｕ型のねじりバネ１０の一端１０２は限位スロット５４、５５に入れることを通して、回転軸５に固定され、他端１０３は第二ケース２の表面と接触し、第二ケース２はＵ型のねじりバネ１０と接触する接点の隣接する位置に少なくとも二つの突起を設け、本実施例に二つの突起は２６、２７である（図１１を参照）。第二ケース２は第三ケース３に対して回転する時、Ｕ型のねじりバネ１０の一端１０３は第二ケース２の突起２６、２７を通り抜け、突起２６と２７が一定の抵抗力を生じるので回転の手触りを生じる。
【００６８】
本実施例のボックスロックをおろす必要があるとき、ボックスの上蓋を下ろし、かんぬき４の施錠部品４１を第二ケース２の開口部２２と第一ケース１の開け口１２に構成される空洞の中に置いて、そして、まずロックシリンダ７の位置をチェックし、ロックシリンダ７の半円柱型のロック部７３は第三ケース３の鉤形突起施錠機構３３を施錠する位置にあれば、鍵を挿入してロックシリンダ７を順方向に回転することを通し、その上のバンプ７１、７２がロックシリンダのカバー８の制限溝８１、８２に制限されるストロークに沿って、一端から他端まで移動させ、したがって、ロック部７３が第三ケース３の施錠機構３３に施錠されなく、第一ケース１と第二ケース２が第三ケース３に相対的に回転できる。それから、第二ケース２と第一ケース１より構成された回転パートを回転し、かんぬき４の施錠部品４１をスライド溝２３に沿ってその底までに滑らせ、そして、ロックシリンダ７を回転し、その上のロック部７３が第三ケース３の施錠機構３３に施錠され、この時、第一ケース１と第二ケース２より構成された回転パートは第三ケースに相対して回転できず、かんぬき４の施錠部品４１が自動的に第二ケース２にあるスライド溝２３に滑りだせず、施錠過程を完成する。ボックス／かばん用ロックを開ける必要がある時、まずは鍵を挿入してロックシリンダ７を逆方向に回転し、その上のロック部７３を第三ケース３の施錠機構３３が位置する円弧から離れさせ、この時、第三ケース３の施錠機構３３がロック部７３を施錠していない。それから、第二ケース２と第一ケース１より構成された回転パートを回転し、かんぬき４の施錠部品４１を第二ケース２のスライド溝２３に沿って開口部２２までに滑らせて、これで解錠を完成する。（図１６を参照）かんぬき４の施錠部品４１が開口部２２までに滑る時、セルフロック防止のリンケージ部品９の第一曲線縁９２に連結する弾性要素が推力を生じ、第一曲線縁９２をバンプ３４の一端までに押して、それがスライド溝２５の中での回転を阻止し、したがって第一ケース１と第二ケース２より構成された回転パートの第三ケース３に対する回転を阻止し、かつセルフロック防止のリンケージ部品９の第二曲線縁９３は第二ケース２の開口部２２の上に位置し、かんぬき４が落ちる時、開口部２２の中に完全に入れないようにさせる。この時、上蓋が落ちることによってかんぬき４の施錠部品４１が落ちても、ボックス／かばん用ロックは自動に錠をおろす状況は発生にならない。
【００６９】
以上の実施例には、第一ケース１、第二ケース２の外形形状は円形を優れた案としたが、本発明にはこれに限らない。同じ機能を実現できるその他の形状、たとえば方形、星型などのいずれの形状でも本発明の範囲内にある。
【００７０】
上記公開した本発明の好適な実施例は本発明内容を説明することに用いる迄である。好適な実施例は発明内容のすべての詳細を含まられなく、本発明内容が前記具体的な実施方式のみであると理解してはいけない。本分野の技術者が本発明の精神的な指導による簡単な置換えと修正も本発明の範囲内にあることは明らかである。本発明は特許請求の範囲及びその全範囲と同等物の制限だけを受ける。
【産業上の利用可能性】
【００７１】
本発明が提供するボックス／かばん用ロックは、回転方法を通して施錠と解錠を行い、かつロックシリンダを設け、鍵を通してこそ開けられ、使用の安全性を高める。さらにセルフロック防止機構を設け、従来の係合ロックが存在している、不注意で箱の蓋が落ちる時、ボックスロックが自動的に錠をおろす欠点を解決でき、利用者に便利である。
【符号の説明】
【００７２】
１” 回転パート
１、１’ 第一ケース
１０１ 円環形の構造
１０２、１０３ 円環形の構造の両端
１２、１２’ 開け口
１３、１３’ 収容溝
１４、１４’ 連結軸
１５、１５’ 固定溝
１６、１６’ ガイドバー
１７、１８、１９ 第一ケースのボルト穴
１７’、１８’、１９’ 第一ケースのボルト穴
２、２’ 第二ケース
２０、２８、２９ 第二ケースのボルト穴
２０’、２８’、２９ ’第二ケースのボルト穴
２１１、２１２ 円孔
２２、２２’ 開口部
２３、２３’ スライド溝
２４、２４’ 貫通穴
２５、２５’ スライド溝
２６、２７ 第二ケースにある突起
３、３’ 第三ケース
３１１、３１２ 収容穴
３２、３２’ 収容穴
３３、３３’ 施錠機構
３３１、３３１’ 第二収容溝
３３２、３３２’ 線形溝
３３３、３３３’ 線形ノッチ
３４、３４’  バンプ
３５、３５’ ボルト穴
３６、３６’ ボルト穴
３７、３７’ 中空円柱
４ かんぬき
４１、４１’ 施錠部品
４２、４２’ 連結部品
５ 回転軸
５１１、５１１’ 柱形突起
５１２、５１２’ 柱形突起
５２、５２’ 貫通穴
５３ 柱
５４、５５ 限位スロット
６ ボルト
６１ ボルト頭部
７１、７１’ バンプ
７２ バンプ
７３、７３’ ロック
７４ 鍵穴
８、８’  ロックシリンダのカバー
８１、８１’ 制限溝
８２ 制限溝
９１、９１’ 中空筒
９２、９２’ 第一曲線縁
９２１、９２１’ 柱形突起
９３、９３’ 第二曲線縁
【図１】
2015535558.tif 000003
【図２】
2015535558.tif 000004
【図３】
2015535558.tif 000005
【図４Ａ】
2015535558.tif 000006
【図４Ｂ】
2015535558.tif 000007
【図５】
2015535558.tif 000008
【図６】
2015535558.tif 000009
【図７】
2015535558.tif 000010
【図８】
2015535558.tif 000011
【図９】
2015535558.tif 000012
【図１０】
2015535558.tif 000013
【図１１】
2015535558.tif 000014
【図１２】
2015535558.tif 000015
【図１３】
2015535558.tif 000016
【図１４】
2015535558.tif 000017
【図１５】
2015535558.tif 000018
【図１６】
2015535558.tif 000019
【国際調査報告】
2015535558.tif 000020
2015535558.tif 000021
2015535558.tif 000022
2015535558.tif 000023